(57)【要約】【課題】商品を販売すること。【解決手段】商品１９０を生産する生産者によって利用される生産者装置１１０を備え、生産者装置１１０は、消費者が購入した商品１９０に関連する関連商品を消費者に譲渡するにあたり、新品又は中古のいずれの商品１９０を消費者が購入したのかに応じて、関連商品の価格を算出する関連商品価格算出部と、関連商品価格算出部が算出した価格を示すデータ、消費者が利用している消費者装置へ送信する関連商品価格データ送信部とを有する。【選択図】図１
2012123709.tif 000002
【特許請求の範囲】
【請求項１】
商品を販売する商品販売システムであって、
商品を生産する生産者によって利用される生産者装置
を備え、
前記生産者装置は、
消費者が購入した商品に関連する関連商品を消費者に譲渡するにあたり、新品又は中古のいずれの商品を消費者が購入したのかに応じて、関連商品の価格を算出する関連商品価格算出部と、
前記関連商品価格算出部が算出した価格を示すデータを、消費者が利用している消費者装置へ送信する関連商品価格データ送信部と
を有する商品販売システム。
【請求項２】
前記生産者装置は、
消費者が購入した商品が新品又は中古のいずれであるのかを示すデータを含む商品を示すデータと、当該商品を購入した消費者を示すデータとを、前記消費者装置から受信する商品データ受信部
を更に有し、
前記生産者装置の関連商品価格算出部は、前記商品データ受信部が受信したデータに基づいて、関連商品の価格を算出する
請求項１に記載の商品販売システム。
【請求項３】
商品を販売する小売業者によって利用される小売業者装置
を更に備え、
前記小売業者装置は、
消費者が購入した商品が新品又は中古のいずれであるのかを示すデータを含む商品を示すデータを、前記消費者装置へ送信する商品データ送信部
を有し、
前記生産者装置の商品データ受信部は、前記消費者装置が前記小売業者装置から受信した商品を示すデータを、前記消費者装置から受信する
請求項２に記載の商品販売システム。
【請求項４】
前記小売業者装置は、
消費者が購入した商品に取り付けられている電子回路から読み出された、当該商品を示すデータの入力を受け付ける商品データ入力受付部
を更に有し、
前記小売業者装置の商品データ送信部は、前記商品データ入力受付部が入力を受け付けた消費者が購入した商品を示すデータに、当該商品が新品又は中古のいずれであるのかを示すデータを対応付けて、前記消費者装置へ送信する
請求項３に記載の商品販売システム。
【請求項５】
前記小売業者装置は、
消費者が購入した商品が新品又は中古のいずれであるのかを示すデータの入力を受け付ける新古品データ入力受付部
を更に有し、
前記小売業者装置の商品データ送信部は、消費者が購入した商品を示すデータに、前記新古品データ入力受付部が入力を受け付けたデータを対応付けて、前記消費者装置へ送信する
請求項３又は４に記載の商品販売システム。
【請求項６】
前記生産者装置は、
消費者が購入した商品に関連する関連商品のデジタルデータを、当該消費者が利用している前記消費者装置へ送信するデジタルデータ送信部
を更に有する請求項１から５のいずれか一項に記載の商品販売システム。
【請求項７】
前記生産者装置は、
消費者が購入した商品に関連する関連商品のデジタルデータを選択するデジタルデータ選択部
を更に有し、
前記生産者装置のデジタルデータ送信部は、前記デジタルデータ選択部が選択したデジタルデータを、前記消費者装置へ送信する
請求項６に記載の商品販売システム。
【請求項８】
商品を生産する生産者によって利用される生産者装置であって、
消費者が購入した商品に関連する関連商品を消費者に譲渡するにあたり、新品又は中古のいずれの商品を消費者が購入したのかに応じて、関連商品の価格を算出する関連商品価格算出部と、
前記関連商品価格算出部が算出した価格を示すデータを、消費者が利用している消費者装置へ送信する関連商品価格データ送信部と
を備える生産者装置。
【請求項９】
商品を生産する生産者によって利用される生産者装置を制御する制御方法であって、
消費者が購入した商品に関連する関連商品を消費者に譲渡するにあたり、新品又は中古のいずれの商品を消費者が購入したのかに応じて、関連商品の価格を算出する関連商品価格算出段階と、
前記関連商品価格算出段階において算出された価格を示すデータを、消費者が利用している消費者装置へ送信する関連商品価格データ送信段階と
を備える制御方法。
【請求項１０】
商品を生産する生産者によって利用される生産者装置用のプログラムであって、前記生産者装置を、
消費者が購入した商品に関連する関連商品を消費者に譲渡するにあたり、新品又は中古のいずれの商品を消費者が購入したのかに応じて、関連商品の価格を算出する関連商品価格算出部、
前記関連商品価格算出部が算出した価格を示すデータを、消費者が利用している消費者装置へ送信する関連商品価格データ送信部
として機能させるプログラム。
【発明の詳細な説明】
【技術分野】
【０００１】
本発明は、商品販売システム、生産者装置、制御方法、及びプログラムに関する。特に、本発明は、商品を販売する商品販売システム、商品を生産する生産者によって利用される生産者装置、当該生産者装置を制御する制御方法、並びに当該生産者装置用のプログラムに関する。
【背景技術】
【０００２】
新品の商品の中には、中古品の同じ商品が流通しているものもある。一般的に、新品の商品は、中古品の同じ商品と比較した場合、コンディションが良いこと以外に優位な点はない。また、商品の生産者は、中古品の商品が購入されても、その利益を享受することはできない。
【０００３】
インターネットのような通信ネットワークとコンピュータシステムを利用して商品の販売や買取等を行う商品流通システムとしては、中古品買取のための情報処理を行う商品流通システムが知られている（例えば、特許文献１参照。）。
【先行技術文献】
【特許文献】
【０００４】
【特許文献１】特開２００１−３１２６５８号公報
【発明の概要】
【発明が解決しようとする課題】
【０００５】
特許文献１に記載の商品流通システムによれば、顧客は、わざわざ買取店に行ったり電話をしたりする必要なしに、楽に、自分の所有中古品の現在の買取金額を知ることができる。すなわち、特許文献１に記載の商品流通システムは、中古品の商品の販売促進に寄与している。しかしながら、特許文献１に記載の商品流通システムは、新品の商品の販売促進に寄与しない。
【課題を解決するための手段】
【０００６】
上記課題を解決するために、本発明の第１の形態によると、商品を販売する商品販売システムであって、商品を生産する生産者によって利用される生産者装置を備え、生産者装置は、消費者が購入した商品に関連する関連商品を消費者に譲渡するにあたり、新品又は中古のいずれの商品を消費者が購入したのかに応じて、関連商品の価格を算出する関連商品価格算出部と、関連商品価格算出部が算出した価格を示すデータ、消費者が利用している消費者装置へ送信する関連商品価格データ送信部とを有する。
【０００７】
また、本発明の第２の形態によると、商品を生産する生産者によって利用される生産者装置であって、消費者が購入した商品に関連する関連商品を消費者に譲渡するにあたり、新品又は中古のいずれの商品を消費者が購入したのかに応じて、関連商品の価格を算出する関連商品価格算出部と、関連商品価格算出部が算出した価格を示すデータを、消費者が利用している消費者装置へ送信する関連商品価格データ送信部とを備える。
【０００８】
また、本発明の第３の形態によると、商品を生産する生産者によって利用される生産者装置を制御する制御方法であって、消費者が購入した商品に関連する関連商品を消費者に譲渡するにあたり、新品又は中古のいずれの商品を消費者が購入したのかに応じて、関連商品の価格を算出する関連商品価格算出段階と、関連商品価格算出段階において算出された価格を示すデータを、消費者が利用している消費者装置へ送信する関連商品価格データ送信段階とを備える。
【０００９】
また、本発明の第４の形態によると、商品を生産する生産者によって利用される生産者装置用のプログラムであって、生産者装置を、消費者が購入した商品に関連する関連商品を消費者に譲渡するにあたり、新品又は中古のいずれの商品を消費者が購入したのかに応じて、関連商品の価格を算出する関連商品価格算出部、関連商品価格算出部が算出した価格を示すデータを、消費者が利用している消費者装置へ送信する関連商品価格データ送信部として機能させる。
【００１０】
なおまた、上記のように発明の概要は、本発明の必要な特徴の全てを列挙したものではなく、これらの特徴群のサブコンビネーションもまた、発明となり得る。
【発明の効果】
【００１１】
以上の説明から明らかなように、この発明においては、消費者が購入した商品に関連する関連商品を消費者に譲渡するにあたり、新品又は中古のいずれの商品を消費者が購入したのかに応じて、関連商品の価格を算出するようにした。したがって、この発明においては、例えば、新品の商品を購入した方が中古品の商品を購入するよりも安く関連商品を入手することができるようにすれば、新品と中古品の同じ商品が販売されているような場合であっても、消費者への新品の商品の購買意欲を促進することができる。その結果、この発明においては、商品の生産者の利益率の向上が期待できる。また、この発明においては、中古品の商品を購入した消費者が関連商品を購入することもあるため、今までのビジネスモデルでは生産者が利益を得ることができなかった中古品の商品の流通をきっかけにして生産者が利益を得ることができる。
【図面の簡単な説明】
【００１２】
【図１】一実施形態に係る商品販売システム１００の利用環境の一例を示す図である。
【図２】出版社装置１１０のブロック構成の一例を示す図である。
【図３】書店装置１３０のブロック構成の一例を示す図である。
【図４】デジタルデータ格納部１１６が格納しているデータの一例を示す図である。
【図５】読者装置１５０が記憶するデータの一例を示す図である。
【図６】出版社装置１１０、書店装置１３０、及び読者装置１５０の動作シーケンスの一例を示す図である。
【図７】読者装置１５０が記憶するデータの別の例を示す図である。
【図８】ＩＣタグ１９１が記憶するデータの一例を示す図である。
【図９】出版社装置１１０、及び書店装置１３０をコンピュータ等の電子情報処理装置でそれぞれ構成した場合のハードウェア構成の一例を示す図である。
【発明を実施するための形態】
【００１３】
以下、発明の実施の形態を通じて本発明を説明するが、以下の実施形態は、特許請求の範囲にかかる発明を限定するものではなく、また、実施形態の中で説明されている特徴の組み合わせの全てが発明の解決手段に必須であるとは限らない。
【００１４】
図１は、一実施形態に係る書籍販売システム１００の利用環境の一例を示す。書籍販売システム１００は、書籍１９０ａ、ｂ、ｃ、・・・（以下、書籍１９０と総称する。）を販売するためのシステムである。なおまた、書籍販売システム１００は、この発明における「商品販売システム」の一例であってよい。また、書籍１９０は、この発明における「商品」の一例であってよい。
【００１５】
書籍販売システム１００は、新品の書籍１９０と、その書籍１９０の中古品がそれぞれ流通している市場を想定している。また、書籍販売システム１００は、書籍１９０を購入した読者が、その書籍１９０の電子書籍を入手する権利を得られるビジネスモデルを想定している。その際、書籍販売システム１００は、中古品の書籍１９０を購入するよりも、新品の書籍１９０を購入した方が、その書籍１９０の電子書籍をより安く入手することができるビジネスモデルを想定している。
【００１６】
書籍販売システム１００は、出版社装置１１０、及び複数の書店装置１３０ａ、ｂ、ｃ、・・・（以下、書店装置１３０と総称する。）を備える。出版社装置１１０、及び書店装置１３０は、通信回線１７０に通信接続されている。出版社装置１１０は、出版社によって利用される装置である。書店装置１３０は、書店によって利用される装置である。なおまた、出版社装置１１０は、この発明における「生産者装置」の一例であってよい。また、書店装置１３０は、この発明における「小売業者装置」の一例であってよい。また、出版社は、この発明における「生産者」の一例であってよい。また、書店は、この発明における「小売業者」の一例であってよい。
【００１７】
書店装置１３０ａは、入力装置１３８ａ、及びＩＣ（Ｉｎｔｅｇｒａｔｅｄ  Ｃｉｒｃｕｉｔ）タグ読取器１３９ａを有する。なおまた、書店装置１３０ａ以外の書店装置１３８ｂ、ｃ、・・・も、書店装置１３０ａが有する構成要素と同じ構成要素を有する。以後の説明においては、書店装置１３０が有する構成要素がいずれの書店装置１３０の構成要素であるかを区別する場合には、各構成要素を有する書店装置１３０と同じ添え字（ａ、ｂ、ｃ、・・・）を各構成要素の末尾に付して区別する。例えば、入力装置１３８ａ、入力装置１３８ｂ、及び入力装置１３８ｃは、それぞれ書店装置１３０ａ、書店装置１３０ｂ、及び書店装置１３０ｃの構成要素であることを示す。
【００１８】
また、以後の説明において、添え字が付されていない構成要素の機能及び動作は、同じ符号が付されたいずれの構成要素の機能及び動作を示す。例えば、入力装置１３８で説明された機能及び動作は、入力装置１３８ａ、入力装置１３８ｂ、入力装置１３８ｃ、・・・の機能及び動作を示す。
【００１９】
入力装置１３８は、書店装置１３０にデータや情報、指示等を与えるための装置である。一般的には、読者が操作して入力を行う装置のことを指す。典型的には、読者の手指の動きや打鍵を特定の信号に変換して書店装置１３０に伝える、キーボードやマウス、タッチパネル等が該当する。また、広義には、ビデオカメラ、マイク、イメージスキャナ等、外界の情報を画像や音声、動画等の形で取り込んで、デジタルデータに変換して書店装置１３０に伝える装置も含まれる。更に広義には、直接は読者の指示に拠らず、自動的に外界の情報を取り込んで書店装置１３０に伝えるセンサーシステム等を含める場合もある。
【００２０】
ところで、書店において販売されている書籍１９０ａには、ＩＣタグ１９１ａが取り付けられている。なおまた、書籍１９０ａ以外の書籍ｂ、ｃ、・・・も、書籍１９０ａと同様にＩＣタグｂ、ｃ、・・・が取り付けられている。以後の説明においては、書籍１９０に取り付けられているＩＣタグ１９１がいずれの書籍１９０のＩＣタグ１９１であるかを区別する場合には、各ＩＣタグ１９１が取り付けられている書籍１９０と同じ添え字（ａ、ｂ、ｃ、・・・）を各ＩＣタグ１９１の末尾に付して区別する。例えば、ＩＣタグ１９１ａ、ＩＣタグ１９１ｂ、及びＩＣタグ１９１ｃは、それぞれ書籍１９０ａ、書籍１９０ｂ、及び書籍１９０ｃに取り付けられているＩＣタグ１９１であることを示す。
【００２１】
また、以後の説明において、添え字が付されていないＩＣタグ１９１の機能及び動作は、いずれのＩＣタグ１９１の機能及び動作を示す。例えば、ＩＣタグ１９１で説明された機能及び動作は、ＩＣタグ１９１ａ、ＩＣタグ１９１ｂ、ＩＣタグ１９１ｃ、・・・の機能及び動作を示す。
【００２２】
ＩＣタグ１９１は、書籍１９０の識別に利用される微小な無線ＩＣチップである。ＩＣタグ１９１には、書籍１９０のＩＳＢＮ（Ｉｎｔｅｒｎａｔｉｏｎａｌ  Ｓｔａｎｄａｒｄ  Ｂｏｏｋ  Ｎｕｍｂｅｒ）等の情報が記録されており、電波を使ってＩＣタグ読取器１３９と情報を送受信する能力を持つ。ＩＣタグ１９１は、産業界においてバーコードに代わる商品識別、管理技術として研究が進められてきたが、それに留まらず社会のＩＴ（Ｉｎｆｏｒｍａｔｉｏｎ  Ｔｅｃｈｎｏｌｏｇｙ）化、自動化を推進する上での基盤技術として注目が高まっている。ＩＣタグ１９１は、対環境性に優れた数ｃｍ程度の大きさで、電波や電磁波でＩＣタグ読取器１３９と交信する。近年では、アンテナ側からの非接触電力伝送技術により、電池を持たない半永久的に利用可能なタグも登場している。ＩＣタグ１９１の形状は、ラベル型、カード型、コイン型、スティック型等、様々であり、用途に応じて選択する。通信距離は、数ｍｍ程度のものから数ｍのものがあり、これも用途に応じて使い分けられる。将来的には、全ての商品に微小なＩＣタグが添付され、世界的な流通インフラとなる可能性がある。食品を買ってきて冷蔵庫に入れると自動的に識別し、保持している食品のリストを作ったり消費期限を知らせたりするインテリジェント冷蔵庫等のＩＴ家電が構想されている。商品にＩＤ情報を割り当てる規格では、米マサチューセッツ工科大学が中心となって進めているＡｕｔｏ−ＩＤ  Ｃｅｎｔｅｒの取り組みが先行している。日本でも、東京大学の坂村健教授等が中心となってユビキタスＩＤセンターが設立され、大手電機メーカー等が参加している。なおまた、ＩＣタグ１９１は、この発明における「電子回路」の一例であってよい。また、ＩＳＢＮは、この発明における「商品を示すデータ」の一例であってよい。
【００２３】
通信回線１７０には、複数の読者装置１５０ａ、ｂ、ｃ、・・・（以下、読者装置１５０と総称する。）も通信接続される。読者装置１５０は、読者によって利用される装置である。なおまた、読者装置１５０は、この発明における「消費者装置」の一例であってよい。また、読者は、この発明における「消費者」の一例であってよい。
【００２４】
なおまた、通信回線１７０は、インターネット等のコンピュータネットワーク、通信事業者のコアネットワーク、及び種々のローカルエリアネットワークを含む。また、読者装置１５０は、携帯電話、ＰＤＡ（Ｐｅｒｓｏｎａｌ  Ｄｉｇｉｔａｌ  Ａｓｓｉｓｔａｎｔｓ）等の携帯情報端末、及びパーソナルコンピュータを含む。
【００２５】
なお、本実施形態においては、説明が煩雑になることを防ぐことを目的として、書籍販売システム１００が一の出版社装置１１０を備える構成について説明した。しかしながら、書籍販売システム１００は、複数の出版社装置１１０を備えてよい。
【００２６】
図２は、出版社装置１１０のブロック構成の一例を示す。出版社装置１１０は、商品データ受信部１１１、関連商品価格算出部１１２、関連商品価格データ送信部１１３、デジタルデータ選択部１１４、デジタルデータ送信部１１５、及びデジタルデータ格納部１１６を有する。以下に、各構成要素の機能及び動作を説明する。
【００２７】
商品データ受信部１１１は、読者が購入した書籍１９０が新品又は中古のいずれであるのかを示すデータを含む書籍１９０を示すデータと、その書籍１９０を購入した読者を示すデータとを読者装置１５０から受信する。具体的に説明すると、商品データ受信部１１１は、読者装置１５０が書店装置１３０から受信した商品を示すデータを読者装置１５０から受信する。
【００２８】
関連商品価格算出部１１２は、読者が購入した書籍１９０の電子書籍を読者に譲渡するにあたり、新品又は中古のいずれの書籍を読者が購入したのかに応じて、電子書籍の価格を算出する。具体的に説明すると、関連商品価格算出部１１２は、商品データ受信部１１１が受信したデータに基づいて、電子書籍の価格を算出する。
【００２９】
関連商品価格データ送信部１１３は、関連商品価格算出部１１２が算出した価格を示すデータを読者装置１５０へ送信する。
【００３０】
デジタルデータ選択部１１４は、デジタルデータ格納部１１６が格納している電子書籍のデジタルデータの中から、読者が購入した書籍１９０の電子書籍のデジタルデータを選択する。
【００３１】
デジタルデータ送信部１１５は、読者が購入した書籍１９０の電子書籍のデジタルデータを、その読者が利用している読者装置１５０へ送信する。具体的に説明すると、デジタルデータ送信部１１５は、デジタルデータ選択部１１４が選択したデジタルデータを読者装置１５０へ送信する。
【００３２】
図３は、書店装置１３０のブロック構成の一例を示す。書店装置１３０は、商品データ入力受付部１３１、新古品データ入力受付部１３２、及び商品データ送信部１３３を有する。以下に、各構成要素の機能及び動作を説明する。
【００３３】
商品データ入力受付部１３１は、読者が購入した書籍１９０に取り付けられているＩＣタグ１９１から読み出された、その書籍１９０を示すデータの入力を受け付ける。
【００３４】
新古品データ入力受付部１３２は、読者が購入した書籍１９０が新品又は中古のいずれであるのかを示すデータの入力を受け付ける。
【００３５】
商品データ送信部１３３は、読者が購入した書籍１９０が新品又は中古のいずれであるのかを示すデータを含む書籍１９０を示すデータを読者装置１５０へ送信する。具体的に説明すると、商品データ送信部１３３は、商品データ入力受付部１３１が入力を受け付けた読者が購入した書籍１９０を示すデータに、その書籍１９０が新品又は中古のいずれであるのかを示すデータを対応付けて、読者装置１５０へ送信する。より具体的に説明すると、商品データ送信部１３３は、読者が購入した書籍１９０を示すデータに、新古品データ入力受付部１３２が入力を受け付けたデータを対応付けて、読者装置１５０へ送信する。
【００３６】
図４は、デジタルデータ格納部１１６が格納しているデータの一例を示す。デジタルデータ格納部１１６は、ＩＳＢＮ、及び電子書籍のデジタルデータを対応付けて格納している。
【００３７】
ＩＳＢＮは、世界共通で書籍１９０を特定するための番号である。電子書籍のデジタルデータは、ＩＳＢＮによって特定される書籍１９０の電子書籍のデジタルデータである。
【００３８】
図５は、読者装置１５０が記憶するデータの一例を示す。読者装置１５０は、ＩＳＢＮ、書籍の状態、書店ＩＤ、日付、及び電子書籍を対応付けて格納している。
【００３９】
ＩＳＢＮは、世界共通で書籍１９０を特定するための番号である。書籍の状態は、ＩＳＢＮによって特定される書籍１９０を読者が購入したときの書籍１９０の状態を示す情報である。書店ＩＤは、ＩＳＢＮによって特定される書籍１９０を読者が購入した書店を識別する情報である。日時は、ＩＳＢＮによって特定される書籍１９０を読者が購入した日付である。電子書籍は、ＩＳＢＮによって特定される書籍１９０の電子書籍を読者が購入したか否かを示す情報である。
【００４０】
図６は、出版社装置１１０、書店装置１３０、及び読者装置１５０の動作シーケンスの一例を示す。書店の店員は、読者が購入する書籍１９０の代金を清算する際、その書籍１９０に取り付けられているＩＣタグ１９１に記憶されているデータを、ＩＣタグ読取器１３９を用いて読み取る。このようにして、書店装置１３０の商品データ入力受付部１３１は、読者が購入した書籍１９０に取り付けられているＩＣタグ１９１から読み出された、その書籍１９０を示すデータの入力を受け付ける（Ｓ１０１）。
【００４１】
また、書店の店員は、読者が購入する書籍１９０が新品又は中古のいずれであるのかを、入力装置１３８を利用して書店装置１３０に入力する。このようにして、書店装置１３０の新古品データ入力受付部１３２は、読者が購入した書籍１９０が新品又は中古のいずれであるのかを示すデータの入力を受け付ける（Ｓ１０２）。
【００４２】
そして、書店装置１３０の商品データ送信部１３３は、読者が購入した書籍１９０が新品又は中古のいずれであるのかを示すデータを含む書籍１９０を示すデータを読者装置１５０へ送信する（Ｓ１０３）。このようにして、読者装置１５０には、図５に示すようなデータが記憶されることになる。
【００４３】
読者は、購入した書籍１９０の電子書籍を入手するにあたり、例えば、その書籍１９０の出版社が公開しているＷｅｂサイトにアクセスする。そして、読者は、そのＷｅｂサイトにて、購入した書籍１９０の電子書籍を入手するための手続きを行う。その際、読者装置１５０は、書店装置１３０から受信した書籍１９０を示すデータと、その書籍１９０を購入した読者を示すデータとを出版社装置１１０へ送信する（Ｓ１０４）。このようにして、出版社装置１１０の商品データ受信部１１１は、読者が購入した書籍１９０が新品又は中古のいずれであるのかを示すデータを含む書籍１９０を示すデータと、その書籍１９０を購入した読者を示すデータとを読者装置１５０から受信する。
【００４４】
そして、出版社装置１１０の関連商品価格算出部１１２は、読者が購入した書籍に関連する電子書籍を読者に譲渡するにあたり、新品又は中古のいずれの書籍を読者が購入したのかに応じて、電子書籍の価格を算出する（Ｓ１０５）。
【００４５】
そして、出版社装置１１０の関連商品価格データ送信部１１３は、関連商品価格算出部１１２が算出した価格を示すデータを、読者装置１５０へ送信する（Ｓ１０６）。このようにして、読者は、購入した書籍１９０の電子書籍の価格を知ることができる。
【００４６】
読者は、通知された電子書籍の価格に納得すれば、出版社のＷｅｂサイトにて、電子書籍の購入手続きを行う。読者によって電子書籍の購入手続きが行われると、出版社装置１１０のデジタルデータ選択部１１４は、デジタルデータ格納部１１６が格納している電子書籍のデジタルデータの中から、読者が購入した書籍１９０の電子書籍のデジタルデータを選択する（Ｓ１０７）。
【００４７】
そして、出版社装置１１０のデジタルデータ送信部１１５は、読者が購入した書籍に関連する電子書籍のデジタルデータを、その読者が利用している読者装置１５０へ送信する（Ｓ１０８）。このようにして、読者は、購入した書籍１９０の電子書籍を入手することができる。
【００４８】
以上説明したように、書籍販売システム１００においては、読者が購入した書籍１９０の電子書籍を読者に譲渡するにあたり、新品又は中古のいずれの書籍１９０を読者が購入したのかに応じて、電子書籍の価格を算出するようにした。したがって、書籍販売システム１００においては、例えば、新品の書籍１９０を購入した方が中古品の書籍１９０を購入するよりも安く電子書籍を入手することができるようにすれば、新品と中古品の同じ書籍１９０が販売されているような場合であっても、読者への新品の書籍１９０の購買意欲を促進することができる。その結果、書籍販売システム１００においては、出版社の利益率の向上が期待できる。また、書籍販売システム１００においては、中古品の書籍１９０を購入した読者が電子書籍を購入することもあるため、今までのビジネスモデルでは出版社が利益を得ることができなかった中古品の書籍１９０の流通をきっかけにして出版社が利益を得ることができる。
【００４９】
図７は、読者装置１５０が記憶するデータの別の例を示す。読者装置１５０は、複数の読者によって利用される場合、図７に示すように、読者ＩＤによって識別される読者毎の情報を記憶するようにしてもよい。このようにして、読者は、一の読者装置１５０を共有して利用することができるようになる。
【００５０】
図８は、ＩＣタグ１９１が記憶するデータの一例を示す。書店装置１３０は、書籍１９０が購入される際に、その書籍１９０に取り付けられたＩＣタグ１９１に、図８に示すような情報を記憶させるようにしてもよい。このようにして、書籍１９０に取り付けられたＩＣタグ１９１には、その書籍１９０が流通した履歴を記録として残すことができるようになる。
【００５１】
なおまた、以上の説明においては、書籍１９０の関連商品として、電子書籍を譲渡するようにしたが、書籍１９０の関連商品として、図書券の代わりになるようなデータを譲渡するようにしてもよい。
【００５２】
また、以上の説明においては、電子書籍を譲渡するにあたり必要な情報を、読者装置１５０に記憶させるようにしたが、書店装置１３０から出版社装置１１０へ予め送信するようにしてもよい。
【００５３】
また、以上の説明においては、商品と関連商品との関係について、書籍１９０の販売と電子書籍の配信を例にとって説明したが、音楽ＣＤ（ＣｏｍｐａｃｔＤｉｓｃ）の販売とその音楽の音声ファイルの配信や、映画のＤＶＤ（Ｄｉｇｉｔａｌ  Ｖｅｒｓａｔｉｌｅ  Ｄｉｓｋ）の販売とその映画の映像ファイルの配信等のビジネスモデルにも適用することができる。
【００５４】
図９は、出版社装置１１０、及び書店装置１３０をコンピュータ等の電子情報処理装置でそれぞれ構成した場合のハードウェア構成の一例を示す。出版社装置１１０及び書店装置１３０は、ＣＰＵ（Ｃｅｎｔｒａｌ  Ｐｒｏｃｅｓｓｉｎｇ  Ｕｎｉｔ）周辺部と、入出力部と、レガシー入出力部とを備える。ＣＰＵ周辺部は、ホスト・コントローラ８０１により相互に接続されるＣＰＵ８０２、ＲＡＭ（Ｒａｎｄｏｍ  Ａｃｃｅｓｓ  Ｍｅｍｏｒｙ）８０３、グラフィック・コントローラ８０４、及び表示装置８０５を有する。入出力部は、入出力コントローラ８０６によりホスト・コントローラ８０１に接続される通信インターフェイス８０７、ハードディスクドライブ８０８、及びＣＤ−ＲＯＭ（Ｃｏｍｐａｃｔ  Ｄｉｓｋ  Ｒｅａｄ  Ｏｎｌｙ  Ｍｅｍｏｒｙ）ドライブ８０９を有する。レガシー入出力部は、入出力コントローラ８０６に接続されるＲＯＭ（Ｒｅａｄ  Ｏｎｌｙ  Ｍｅｍｏｒｙ）８１０、フレキシブルディスク・ドライブ８１１、及び入出力チップ８１２を有する。
【００５５】
ホスト・コントローラ８０１は、ＲＡＭ８０３と、高い転送レートでＲＡＭ８０３をアクセスするＣＰＵ８０２、及びグラフィック・コントローラ８０４とを接続する。ＣＰＵ８０２は、ＲＯＭ８１０、及びＲＡＭ８０３に格納されたプログラムに基づいて動作して、各部の制御をする。グラフィック・コントローラ８０４は、ＣＰＵ８０２等がＲＡＭ８０３内に設けたフレーム・バッファ上に生成する画像データを取得して、表示装置８０５上に表示させる。これに代えて、グラフィック・コントローラ８０４は、ＣＰＵ８０２等が生成する画像データを格納するフレーム・バッファを、内部に含んでもよい。
【００５６】
入出力コントローラ８０６は、ホスト・コントローラ８０１と、比較的高速な入出力装置であるハードディスクドライブ８０８、通信インターフェイス８０７、ＣＤ−ＲＯＭドライブ８０９を接続する。ハードディスクドライブ８０８は、ＣＰＵ８０２が使用するプログラム、及びデータを格納する。通信インターフェイス８０７は、ネットワーク通信装置８９１に接続してプログラム又はデータを送受信する。ＣＤ−ＲＯＭドライブ８０９は、ＣＤ−ＲＯＭ８９２からプログラム又はデータを読み取り、ＲＡＭ８０３を介してハードディスクドライブ８０８、及び通信インターフェイス８０７に提供する。
【００５７】
入出力コントローラ８０６には、ＲＯＭ８１０と、フレキシブルディスク・ドライブ８１１、及び入出力チップ８１２の比較的低速な入出力装置とが接続される。ＲＯＭ８１０は、出版社装置１１０及び書店装置１３０が起動時に実行するブート・プログラム、あるいは出版社装置１１０及び書店装置１３０のハードウェアに依存するプログラム等を格納する。フレキシブルディスク・ドライブ８１１は、フレキシブルディスク８９３からプログラム又はデータを読み取り、ＲＡＭ８０３を介してハードディスクドライブ８０８、及び通信インターフェイス８０７に提供する。入出力チップ８１２は、フレキシブルディスク・ドライブ８１１、あるいはパラレル・ポート、シリアル・ポート、キーボード・ポート、マウス・ポート等を介して各種の入出力装置を接続する。
【００５８】
ＣＰＵ８０２が実行するプログラムは、フレキシブルディスク８９３、ＣＤ−ＲＯＭ８９２、又はＩＣ（Ｉｎｔｅｇｒａｔｅｄ  Ｃｉｒｃｕｉｔ）カード等の記録媒体に格納されて利用者によって提供される。記録媒体に格納されたプログラムは圧縮されていても非圧縮であってもよい。プログラムは、記録媒体からハードディスクドライブ８０８にインストールされ、ＲＡＭ８０３に読み出されてＣＰＵ８０２により実行される。ＣＰＵ８０２により実行されるプログラムは、出版社装置１１０を、図１から図８に関連して説明した商品データ受信部１１１、関連商品価格算出部１１２、関連商品価格データ送信部１１３、デジタルデータ選択部１１４、デジタルデータ送信部１１５、及びデジタルデータ格納部１１６として機能させ、書店装置１３０を、図１から図８に関連して説明した商品データ入力受付部１３１、新古品データ入力受付部１３２、及び商品データ送信部１３３として機能させる。
【００５９】
以上に示したプログラムは、外部の記憶媒体に格納されてもよい。記憶媒体としては、フレキシブルディスク８９３、ＣＤ−ＲＯＭ８９２の他に、ＤＶＤ（Ｄｉｇｉｔａｌ  Ｖｅｒｓａｔｉｌｅ  Ｄｉｓｋ）又はＰＤ（Ｐｈａｓｅ  Ｄｉｓｋ）等の光学記録媒体、ＭＤ（ＭｉｎｉＤｉｓｋ）等の光磁気記録媒体、テープ媒体、ＩＣカード等の半導体メモリ等を用いることができる。また、専用通信ネットワークあるいはインターネットに接続されたサーバシステムに設けたハードディスク又はＲＡＭ等の記憶媒体を記録媒体として使用して、ネットワークを介したプログラムとして提供してもよい。
【００６０】
以上、本発明を実施の形態を用いて説明したが、本発明の技術的範囲は、上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００６１】
１００  書籍販売システム
１１０  出版社装置
１３０  書店装置
１３８  入力装置
１３９  ＩＣタグ読取器
１５０  読者装置
１７０  通信回線
１９０  書籍
１９１  ＩＣタグ
【図１】
2012123709.tif 000003
【図２】
2012123709.tif 000004
【図３】
2012123709.tif 000005
【図４】
2012123709.tif 000006
【図５】
2012123709.tif 000007
【図６】
2012123709.tif 000008
【図７】
2012123709.tif 000009
【図８】
2012123709.tif 000010
【図９】
2012123709.tif 000011